(57)【特許請求の範囲】
【請求項１】
上皿からの遊技球を発射装置へ供給するための整流器を備え、始動領域を通過することで図柄を変動させ、変動を停止させた図柄が所定図柄の際に大当たりを発生させ大入賞口を開放する遊技機において、
前記整流器に、予め滞留しておいた所定数の遊技球を発射装置へ貸し出すと共に貸し出し後に賞球の払い出しがあった際に前記所定数の遊技球を回収する有底筒部材と、該有底筒部材を傾動させ、滞留しておいた遊技球を発射装置側へ供給する供給部材とを備え、
大当たり発生時に最初に大入賞口を開放する際に、前記供給部材によって前記有底筒部材に滞留させていた前記所定数の遊技球を前記発射装置へ供給することを特徴とする遊技機。
【発明の詳細な説明】
【０００１】
【発明の属する技術分野】
この発明は、始動領域を通過することで図柄が変動し、図柄が所定図柄の際に大入賞口を開放する遊技機に関するものである。
【０００２】
【従来の技術】
第１種遊技機では、始動口に遊技球が入賞すると、所定個数（例えば５個）の賞球が払い出されると同時に、図柄表示装置の図柄が変動表示され、所定時間経過後に停止表示される。停止表示された図柄の組み合わせが大当たり図柄の場合、大当たり遊技として大入賞口の開放が所定時間行われる。ここで、図柄変動装置の図柄変動中に始動口に入賞があると、始動記憶として最大４個まで記憶され、図柄の変動停止後、該始動記憶に基づき図柄が変動される。
【０００３】
大当たりにより大入賞口は、開口後、約３０秒の経過、又は、１０球の入賞によって閉口する。この開口から閉口までの所謂ラウンドを所定上限回数（例えば１５回）まで繰り返す。ここで、大入賞口の開口中に、大入賞口内の特定領域を少なくとも１球通過することを条件に次ラウンドへ進むため、大入賞口が開口した際に遊技球の入賞が全くないと、そのラウンドで大当たりに伴う遊技が終了することになる。
【０００４】
【発明が解決しようとする課題】
遊技中は、通常１以上の始動記憶が常にある。ここで、遊技球を使い果たした時点でも、始動記憶が残っていることが多く、遊技者は始動記憶に基づく図柄変動、即ち、大当たりが発生しないことを確認してから遊技を終了している。このため、遊技球を使い果たした状態で、図柄が揃い大当たりが発生した場合には、発射する遊技球がないので、大入賞口に１球も入賞させることができず、次のラウンドへ移行することなく、即ち、大当たりに基づく賞球の払い出しを全く受けることなく、大当たりが終了することがあった。
【０００５】
本発明は、上述した課題を解決するためになされたものであり、その目的とするところは、大当たり発生の際に確実に利益を享有することができる遊技機を提供することにある。
【００１０】
【課題を解決するための手段】
請求項１の発明では、上皿からの遊技球を発射装置へ供給するための整流器を備え、始動領域を通過することで図柄を変動させ、変動を停止させた図柄が所定図柄の際に大当たりを発生させ大入賞口を開放する遊技機において、
前記整流器に、予め滞留しておいた所定数の遊技球を発射装置へ貸し出すと共に貸し出し後に賞球の払い出しがあった際に前記所定数の遊技球を回収する有底筒部材と、該有底筒部材を傾動させ、滞留しておいた遊技球を発射装置側へ供給する供給部材とを備え、
大当たり発生時に最初に大入賞口を開放する際に、前記供給部材によって前記有底筒部材に滞留させていた前記所定数の遊技球を前記発射装置へ供給することを技術的特徴とする。
【００１１】
請求項１では、大当たり発生時に最初の大入賞口を開放する際に、供給部材によって有底筒部材に滞留させておいた遊技球を発射装置へ供給する。このため、大当たりが発生した際に、遊技球が無くとも、貸し出された遊技球を大入賞口に入賞させることができるので、遊技者は、大当たり発生の際に確実に利益を享有することができる。また、遊技球を貸し出した後、貸し出しを行った有底筒部材で遊技球の回収を行うため、貸し出し数と同数の遊技球を間違いなく回収でき、遊技者に不当な利益、不利益を与えることがない。
【００１２】
【発明の実施の形態】
以下、本発明のパチンコ機の実施形態について図を参照して説明する。
[第１実施形態]
なお、以下の第１実施形態では、本発明のパチンコ機として、ＣＲ第１種のパチンコ機を代表に説明する。まず、第１実施形態のパチンコ機の主要構成について、本実施形態のパチンコ機を正面から見た説明図である図１を参照して説明する。
【００１３】
パチンコ機１０には、内枠１１が開閉可能に備えられており、その内枠１１には、金枠１２が開閉可能に取付けられており、さらに金枠１２には、ガラス枠２６が開閉可能に取付けられている。ガラス枠２６の裏面側には、遊技盤１３が配置されている。内枠１１の右側には、ガラス枠２６開閉用の鍵を差し込む鍵穴１５を備えた鍵穴飾り１６が設けられている。
【００１４】
ガラス枠２６の下には、上皿パネル１８が設けられており、この上皿パネル１８の左側上部には、賞球及び貸球が導出される上皿賞球排出口１９が形成されており、この上皿賞球排出口１９の排出側には、その上皿賞球排出口１９から排出された遊技球を溜めておくための上皿２０が取り付けられている。上皿２０の前面には、遊技球を貸し出すための貸球ボタン９２と、プリペイドカードを返却するための返却ボタン９４とが設けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。
【００１５】
下皿２２の右方には、上皿２０から供給された遊技球を遊技盤１３へ発射する発射モータ（図示せず）を操作するための発射ハンドル２３が、回転可能に取付けられており、その発射ハンドル２３には、発射途中で発射を停止するための発射停止ボタン２４が設けられている。また、上皿２０の右方には、上皿２０に溜められた賞球を下皿２２へ抜くための上皿球抜きレバー２５がスライド可能に取付けられている。
【００１６】
さらに、パチンコ機の左側には、プリペイドカードユニット（球貸出機：ＣＲサンド）２７が設けられている。プリペイドカードユニット２７の上部には、球貸出個数設定表示装置２８が設けられている。そして、貸球ボタン９２が押されると、球貸出個数設定表示装置２８に設定された金額に相当する個数の遊技球が、パチンコ機内部から上皿２０へ貸し出される。プリペイドカードユニット２７の下部にはプリペイドカードを挿入するスリット２７ａが設けられている。
【００１７】
次に、遊技盤１３の構成について図２を参照して説明する。
遊技盤１３の略中央にはセンターケース３０が配置されている。センターケース３０には、天入賞口３１と、液晶表示で特別図柄を表示する特別図柄表示器３４と、この特別図柄表示器３４の始動される回数を表示する４個のＬＥＤからなる特別図柄記憶ＬＥＤ３５とが備えられている。
【００１８】
センターケース３０の下方には、特別図柄表示器３４を作動させるための第１種始動口４１が設けられており、この第１種始動口４１の下部には普通電動役物４２が設けられている。開放された普通電動役物４２は、第１種始動口４１と同様に、特別図柄表示器３４を作動開始させる機能を備えている。
【００１９】
第１種始動口４１の下方には、当たりの発生時に開放される扉形式の大入賞口５１が開閉可能に取り付けられており、この大入賞口５１の両側には、普通入賞口５２，５２がそれぞれ設けられている。また、大入賞口５１の内部には、特定領域（図示せず）が形成されている。左側の普通入賞口５２の左側（外側）には、３個のＬＥＤからなる普通図柄表示装置３２が、右側の普通入賞口５２の右側（外側）には、普通図柄表示装置３２の始動される回数を表示する４個のＬＥＤからなる普通図柄記憶ＬＥＤ３３が配置されている。
【００２０】
センターケース３０の左右には、普通図柄表示装置３２を作動させるための普通図柄作動ゲート４０，４０が設けられている。普通電動役物４２は、普通図柄表示装置３２の停止図柄が所定の当たり図柄となった場合に開放されるよう構成されている。遊技盤１３の下方には、入賞しなかった遊技球をアウト球として回収するアウト口６５とが設けられている。
【００２１】
また、普通図柄表示装置３２、または、普通電動役物４２の作動中に遊技球が普通図柄作動ゲート４０を通過した場合は、最初の４個までが始動記憶となり、普通図柄記憶ＬＥＤ３３の点灯数でもって記憶数が表示され、普通図柄が変動可能となると、その始動記憶に基づいて変動が開始される。
【００２２】
液晶表示装置（ＬＣＤ）からなる特別図柄表示器３４は、遊技球が第１種始動口４１または開放した普通電動役物４２に入賞した際に、０〜９の１０種類の図柄を左表示領域３４ａ、中表示領域３４ｂ、右表示領域３４ｃの３箇所の図柄表示領域に変動表示する。
【００２３】
そして、変動開始後、所定の変動固定時間が経過すると、左表示領域３４ａ、右表示領域３４ｃ、中表示領域３４ｂの順に変動を停止し、図柄が一致、例えば、図中に示すように１，１，１で揃うことにより大当たりとなって大入賞口５１が開放される。
【００２４】
特別図柄表示器３４が作動中、または、大当たり状態の時に、遊技球が第１種始動口４１または開放した普通電動役物４２に入賞した場合は、最初の４個までが始動記憶となり、特別図柄記憶ＬＥＤ３５によって記憶数が表示される。そして、特別図柄が変動可能な状態になると、その始動記憶に基づいて変動が開始されるとともに、特別図柄記憶ＬＥＤ３５が１つ消灯される。
【００２５】
次に、図２を参照し第１実施態様のパチンコ機による遊技のあらましについて説明する。
〔普通図柄表示装置による遊技〕
ここでは、まず、普通図柄作動ゲート４０、４０への遊技球の通過に伴うについて説明する。遊技球が普通図柄作動ゲート４０、４０を通過すると、普通図柄表示装置３２の左上ダイオード、中央ダイオード、右下ダイオードが順次点灯（変動表示）する。
【００２６】
ここで、普通図柄表示装置３２の変動表示中、又は、普通電動役物４２の開放中に、更に、遊技球が普通図柄作動ゲート４０、４０を通過すると、普通図柄記憶ＬＥＤ３３のＬＥＤが順次点灯し、普通図柄表示装置３２の変動が開始になる都度消されることにより記憶個数が表示される。なお、上述した遊技球が普通図柄作動ゲート４０、４０を通過してもそれが記憶されるのは最初の４個までで、それ以上の値は保持されない。この入賞が記憶されている状態においては、普通図柄表示装置３２での変動停止後、再び変動が開始される。
【００２７】
普通図柄表示装置３２の変動開始後、変動固定時間である２８秒変動させた後、表示図柄が後述する乱数によって選択された停止図柄と一致したときに変動を停止させる。ここで、左上ダイオード、又は、右下ダイオードのいずれか１個でも点灯した状態であれば、当たりとなり、普通電動役物４２が０．５秒間開放される。
【００２８】
〔特別図柄表示器による遊技〕
引き続き、特別図柄表示器３４による遊技について説明する。
遊技球が第１種始動口４１又は普通電動役物４２へ入賞すると、特別図柄表示器３４は、各表示領域３４ａ、３４ｂ、３４ｃにて０〜９の図柄の変動をそれぞれ開始する。そして、予め設定された時間が経過すると、左表示領域３４ａの図柄を停止、次に、右表示領域３４ｃの図柄を停止し、最後に、中表示領域３４ｂの図柄を停止する。ここで、左表示領域３４ａ、中表示領域３４ｂ、右表示領域３４ｃの図柄が異なる場合には、ハズレとなる。他方、図２中に示すように図柄が同一のときには、大当たりとなる。
【００２９】
大当たりが発生すると、大入賞口５１を約２９．５秒開放して、遊技球の非常に入賞し易い状態を提供する。そして、該２９．５秒の経過又は開放時間内であっても遊技球が９個入賞することにより大入賞口５１が閉じられる。この大入賞口５１の開放中に、入賞球が特定領域（図示せず）を通過することにより大入賞口５１は再び開放される。なお、この大入賞口５１の開放回数は最高１６回までである。
【００３０】
そして、大入賞口５１の開放中に遊技機が特定領域を通過しなかった場合、もしくは前記最高の１６回の開放を繰り返した際には、大入賞口の開放を終了する。本実施形態では、大入賞口５１に数個の入賞があれば、入賞した遊技球の内のいずれかが特定領域を通過するように設定されている。従って、大入賞口５１が最初に開放された際に、少なくとも１球の入賞があり、かつ、大入賞口の開放中に遊技球の発射が途絶えない限り、ほぼ確実に上限の１６回まで大入賞口の開放が繰り返されるように設定されている。
【００３１】
ここで、特別図柄表示器３４にて０〜９の図柄の変動表示を行っている最中に、更に、第１種始動口４１又は普通電動役物４２へ遊技球が入賞すると、この入賞個数が記憶され、特別図柄記憶ＬＥＤ３５にて順次表示される。なお、上述した遊技球が第１種始動口４１に入賞してもそれが記憶されるのは最初の４個までで、それ以上の値は保持されない。この入賞が記憶されている状態においては、特別図柄表示器３４での変動停止後、再び変動が開始される。
【００３２】
本実施形態のパチンコ機では、大当たりが発生し最初に大入賞口５１が開放した際に、発射する遊技球が存在しているかを判断し、遊技球がない場合には貸し出しを行う。この貸し出し機構について、図３及び図４を参照して説明する。
【００３３】
図３は、図２中に示す上皿パネル１８の裏面側を示す図である。上皿パネル１８の裏面には、上皿２０（図２参照）を介して供給された遊技球を発射装置（図示せず）へ供給するための整流器７０が配置される。この整流器７０には、図２を参照して上述した上皿２０を介しての遊技球の供給路（以下通常の供給路）の他に、賞球の供給口である上皿賞球排出口１９から該整流器７０へ上皿２０を介することなく供給するための裏面通路８０が設けられている。この裏面通路８０には、例えば１７個の遊技球が保持され、大当たりが発生した際に、上皿側からの遊技球の供給が無い場合には、該裏面通路（貸出用供給路）８０に保持された遊技球が整流器７０へ供給される。該整流器７０と裏面通路８０との間には、遊技球の流れを上皿２０側と裏面通路８０とで切り替えるための通路切替部材８４が設けられ、該通路切替部材８４は、ソレノイド８２により駆動されるようになっている。
【００３４】
図４は、通路切替部材８４による上皿２０側と裏面通路８０側との遊技球の供給路の切り替えを示す説明図である。図４（Ａ）は、上皿側から遊技球が供給されている状態を示している。整流器７０には、上皿２０側からの遊技球を受け入れるための通孔７２と、内部で遊技球を検出するための球検出器７４とが備えられている。図４（Ａ）に示すように、常には、ソレノイド８２がロッド８２ａを押し出し、リンク機構８４ａを介して通路切替部材８４が下方位置にあって、裏面通路８０側からの遊技球を阻止し、上皿２０側からの遊技球が、通孔７２を介して整流器７０内へ供給されるようにしている。
【００３５】
図４（Ｂ）は、整流器７０内に遊技球が無くなった状態を示している。図４（Ｃ）は、裏面通路８０側から整流器７０へ遊技球が供給される状態を示している。後述するように、大当たりが発生した際に、図４（Ｂ）に示すように、整流器７０内に遊技球が無い場合には、図４（Ｃ）に示すように、ソレノイド８２のロッド８２ａが引き込まれ、リンク機構８４ａを介して通路切替部材８４が上方へ移動され、裏面通路８０側から整流器７０側へ遊技球が供給（貸し出され）るようになる。
【００３６】
この第１実施形態のパチンコ機による上記遊技球の貸出処理について、図９のフローチャートを参照して説明する。
パチンコ機の主制御基板（図示せず）は、特別図柄表示装置２２の停止図柄が同じ数字図柄になって大当たりとなり、大入賞口５０を最初に開口する際に（Ｓ１２：Ｙｅｓ）、整流器７０の球検出器７４により遊技球Ｔが検出できるか否かを判断する（Ｓ１４）。ここで、遊技球が有る場合には（Ｓ１４：Ｙｅｓ）、処理を終了する。他方、図４（Ｂ）に示すように遊技球が無い場合には（Ｓ１４：Ｎｏ）、図４（Ｃ）に示すようにソレノイド８２を操作して通路切替部材８４を上位置へ移動させ（Ｓ１６）、裏面通路８０に保持された１７個の遊技球を整流器７０側に貸し出し、図示しない発射装置を介して遊技球を遊技盤１３（図２参照）へ打ち出させる。これにより、開口中の大入賞口１５へ入賞させ、賞球の払い出しを行わせる。このため、例え、大当たり発生の際に発射する遊技球が無い場合にも、第２ラウンドへ移行することができ、大当たり発生の際に確実に利益を享有することができる。
【００３７】
そして、所定時間（例えば、大入賞口の開放時間である２９．５秒＋賞球払い出しに掛かる時間５秒＝３４．５秒）が経過すると（Ｓ１８：Ｙｅｓ）、整流器７０の球検出器７４で遊技球が検出できるか否を判断し（Ｓ２０）、検出できた際、即ち、貸し出した１７球によって大入賞口への入賞が有り、賞球の払い出しを受けている際には（Ｓ２０：Ｙｅｓ）、図４（Ａ）に示すように、ソレノイド８２を動作させ通路切替部材８４を下位置へ移動させ（Ｓ２４）、裏面通路８０側からの遊技球の整流器７０内への流入を阻止し、上皿２０側から通孔７２を介して送られる遊技球を整流器７０内へ導入させる。ここで、図３に示すように、大入賞口への入賞に対する賞球が払い出される際には、上皿賞球排出口１９側から先ず、裏面通路８０側へ遊技球が流れ込んでいるため、路切替部材８４を下位置へ移動させ、裏面通路８０側からの遊技球を阻止させた時点で、貸し出し数（１７個）と同数の遊技球を回収することができる。
【００３８】
なお、上述したＳ２０にて遊技球が検出できない場合（Ｓ２０：Ｎｏ）、即ち、遊技球の貸し出しを受けても、遊技者が大入賞口へ入賞させることができなかった場合には、図示しないリセットボタンの操作に待機する（Ｓ２２）。即ち、大当たりが発生しても万一利益を享有することができなかった場合に、次の遊技者の遊技球から貸し出し球を回収することがないように、上記Ｓ１６にて、通路切替部材８４を上位置へ移動した状態を維持する。ここで、大当たりが発生しても賞球の払い出しが無かった場合には、ホールの管理用コンピュータへ信号が送られる。これに対応して、係員が当該遊技機へ駆けつけ、リセットボタンを操作する（Ｓ２２：Ｙｅｓ）。これにより、パチンコ機は、通路切替部材８４の位置を下側へ復帰させる（Ｓ２４）。
【００３９】
第１実施形態のパチンコ機では、大当たり発生時に最初の大入賞口を開放する際に、発射する遊技球が無い場合に、通路切替部材８４により切り替えて、貸出用の裏面通路８０の遊技球を発射装置へ供給する。このため、大当たりが発生した際に、遊技球が無くとも、貸し出された遊技球を大入賞口に入賞させることができるので、遊技者は、大当たり発生の際に確実に利益を享有することができる。また、遊技球を貸し出した後、貸し出しを行った貸出用の裏面通路８０で遊技球の回収を行うため、貸し出し数と同数の遊技球を間違いなく回収でき、遊技者に不当な利益、不利益を与えることがない。
【００４０】
[第２実施形態]
図５、図６を参照して第２実施形態に係るパチンコ機について説明する。
上述した第１実施形態では、上皿パネル１８の裏面に貸し出し用の裏面通路８０を設けた。これに対して、第２実施形態では、整流器７０内に、貸し出し用の遊技球を保持するための供給路７８Ｂを設けている。また、第１実施形態では、遊技球が無い場合にのみ貸し出しを行ったが、第２実施形態では、遊技球の有無に関わらず貸し出しを行う。
【００４１】
図５（Ａ）は、第２実施形態の整流器７０を示している。図５（Ｂ）、図５（Ｃ）及び図５（Ｄ）は、図５（Ａ）に示す整流器７０内の遊技球の通路７８を上側から見た図である。ここで、図５（Ｂ）は、通常の状態を示し、図５（Ｃ）は、遊技球が無い場合に、貸し出しを行っている状態を示し、図５（Ｄ）は、遊技球が有る場合に、貸し出しを行っている状態を示している。通路７８は、仕切板７８ｃで通常の供給路７８Ａと貸し出し用の供給路７８Ｂとに区画されている。そして、ソレノイド７６により駆動される切替部材７６ｂにより、通常の供給路７８Ａと貸し出し用の供給路７８Ｂとに遊技球の通路が切り替えられる。即ち、図６（Ａ）に示すように、ソレノイド７６のロッド７６ａが押し出されている状態で、仕切板７８ｃと、切替部材７６ｂとが直線状になり、図５（Ｂ）に示すように該切替部材７６ｂにより、貸し出し用の供給路７８Ｂからの遊技球の供給が阻止され、通常の供給路７８Ａからの遊技球が発射装置（図示せず）側へ供給される。一方、大入賞口が開放された際に、図６（Ｂ）に示すように、ソレノイド７６がロッド７６ａを引き込み、切替部材７６ｂが仕切板７８ｃに対して直角になる。これにより、遊技球が無い場合には、図５（Ｃ）に示すように、貸し出し用の供給路７８Ｂからの例えば４個の遊技球が発射装置７８Ｂへ供給される。一方、遊技球が有る場合には、図５（Ｄ）に示すように、通常の供給路７８Ａ側に２個の遊技球が滞留し、貸し出し用の供給路７８Ｂ側から４個の遊技球が供給されるため、暫定的に２個の遊技機が貸し出される。
【００４２】
この第２実施形態のパチンコ機による上記遊技球の貸出処理について、図１０のフローチャートを参照して説明する。
パチンコ機の主制御基板（図示せず）は、特別図柄表示装置２２の停止図柄が同じ数字図柄になって大当たりとなり、大入賞口５０を最初に開口する際に（Ｓ１２：Ｙｅｓ）、図５（Ｃ）に示すようにソレノイド７６を操作して切替部材７６ａを仕切板７８ｃに対して直角になるよう移動させる（Ｓ１６）。これにより、遊技球が有る場合には、上皿２０から供給される遊技球が貸し出し用の供給路７８Ｂ側を通って発射装置側へ供給されるようになる。他方、遊技球が無い場合には、供給路７８Ｂに保持されていた４個の遊技球を貸し出し、図示しない発射装置を介して遊技球を遊技盤１３（図２参照）へ打ち出させる。これにより、開口中の大入賞口１５へ入賞させ、賞球の払い出しを行わせる。このため、例え、大当たり発生の際に発射する遊技球が無い場合にも、第２ラウンドへ移行することができ、大当たり発生の際に確実に利益を享有することができる。
【００４３】
そして、所定時間（例えば、大入賞口の開放時間である２９．５秒＋賞球払い出しに掛かる時間５秒＝３４．５秒）が経過（あるいは大入賞口の閉口）すると（Ｓ１８：Ｙｅｓ）、図５（Ｂ）に示すように、ソレノイド７６を動作させ仕切板７８ｃと切替部材７６ｂとを直線状にする（Ｓ２４）。図５（Ｂ）に示すように該切替部材７６ｂにより貸し出し用の供給路７８Ｂからの遊技球の供給が阻止され、通常の供給路７８Ａ側からの遊技球が発射装置（図示せず）側へ供給される。ここで、大入賞口への入賞に対する賞球が払い出される際には、貸し出し用の供給路７８Ｂからの遊技球の供給が阻止された時点で、上皿２０からの通孔７２を介して流れ込んだ４個の遊技球が貸し出し用の供給路７８Ｂへ滞留し、貸し出し数（４個又は２個）と同数の遊技球を回収することができる。
【００４４】
第２実施形態では、遊技球の有無に関わらず遊技球の貸し出しを行うため、第１実施形態と比較して制御が簡易になり、信頼性を高めることができる。なお、第２実施形態の構成においても、第１実施形態と同様に遊技球の有無を判断し、遊技球が無い場合のみ貸し出しを行うことも可能である。
【００４５】
第２実施形態のパチンコ機では、大当たり発生時に最初の大入賞口を開放する際に、切替部材７６ｂにより切り替えて、貸出用の供給路７８Ｂの遊技球を発射装置へ供給する。このため、大当たりが発生した際に、遊技球が無くとも、貸し出された遊技球を大入賞口に入賞させることができるので、遊技者は、大当たり発生の際に確実に利益を享有することができる。また、遊技球を貸し出した後、貸し出しを行った貸出用の供給路７８Ｂで遊技球の回収を行うため、貸し出し数と同数の遊技球を間違いなく回収でき、遊技者に不当な利益、不利益を与えることがない。
【００４６】
[第３実施形態]
図７、図８を参照して第３実施形態に係るパチンコ機について説明する。
上述した第１実施形態では、上皿パネル１８の裏面に貸し出し用の裏面通路８０を設けた。これに対して、第３実施形態では、整流器７０に、貸し出し用の遊技球を滞留させる遊技球滞留部８６を設けている。
【００４７】
図７（Ａ）は、第３実施形態のパチンコ機において上皿側から遊技球が供給されている状態を示し、図７（Ｂ）は、整流器７０内に遊技球が無くなった状態を示し、図７（Ｃ）は、遊技球滞留部８６側から整流器７０へ遊技球が供給される状態を示している。通常の状態で、図７（Ａ）及び図７（Ａ）中の遊技球滞留部８６を駆動するソレノイド８８の状態を示す図８（Ａ）の様に、上皿側から供給される遊技球は、通孔７２を介して整流器７０内へ送られる。ここで、大入賞口が開放された際に、図８（Ｂ）に示すように、ソレノイド８８がロッド８８ａを引き込み、リンク部材８８ｂを介して、遊技球滞留部８６を反時計方向へ回動させる。これにより、図７（Ｃ）に示すように、遊技球滞留部８６からの例えば４個の遊技球が発射装置７８Ｂへ供給される。この第３実施形態のパチンコ機の貸し出し、及び、遊技球の回収処理は、上述した第１実施形態、または、第２実施形態と同様であるため説明を省略する。
【００４８】
第３実施形態のパチンコ機では、大当たり発生時に最初の大入賞口を開放する際に、ソレノイド（供給部材）８８によって遊技球滞留部８６に滞留させておいた遊技球を発射装置へ供給する。このため、大当たりが発生した際に、遊技球が無くとも、貸し出された遊技球を大入賞口に入賞させることができるので、遊技者は、大当たり発生の際に確実に利益を享有することができる。また、遊技球を貸し出した後、貸し出しを行った遊技球滞留部８６で遊技球の回収を行うため、貸し出し数と同数の遊技球を間違いなく回収でき、遊技者に不当な利益、不利益を与えることがない。
【図面の簡単な説明】
【図１】本発明の第１実施形態に係るパチンコ機の正面図である。
【図２】図１に示すパチンコ機の遊技領域の正面図である。
【図３】上皿パネルの裏面図である。
【図４】図４（Ａ）は、上皿側から遊技球が供給されている状態を示す説明図であり、図４（Ｂ）は、整流器７０内に遊技球が無くなった状態を示す説明図であり、図４（Ｃ）は、裏面通路８０側から整流器７０へ遊技球が供給される状態を示す説明図である。
【図５】図５（Ａ）は、第２実施形態の整流器７０の説明図であり、図５（Ｂ）、図５（Ｃ）、図５（Ｄ）は、整流器７０内の遊技球通路の説明図である。
【図６】図６（Ａ）、図６（Ｂ）は、図５（Ａ）中のソレノイドを示す斜視図である。
【図７】図７（Ａ）は、第３実施形態のパチンコ機において上皿側から遊技球が供給されている状態を示す説明図であり、図７（Ｂ）は、整流器７０内に遊技球が無くなった状態を示す説明図であり、図７（Ｃ）は、遊技球滞留部８６側から整流器７０へ遊技球が供給される状態を示す説明図である。
【図８】図８（Ａ）、図８（Ｂ）は、第３実施形態の遊技球滞留部８６を駆動するソレノイド８８を示す斜視図である。
【図９】第１実施形態のパチンコ機の貸し出し処理を示すフローチャートである。
【図１０】第２実施形態のパチンコ機の貸し出し処理を示すフローチャートである。
【符号の説明】
１０  パチンコ機
１２  遊技盤
１８  上皿パネル
２０  センターケース
２２  特別図柄表示装置
２８  第１種始動領域
５０  大入賞口（扉）
７０  整流器
７６  ソレノイド
７６ｂ  切替部材
７８Ａ  通常の供給路
７８Ｂ  貸し出し用の供給路
８０  裏面通路
８２  ソレノイド
８４  通路切替部材
８６  遊技球滞留部
８８  ソレノイド（供給部材）
【図１】
0003663176.tif 000002
【図２】
0003663176.tif 000003
【図３】
0003663176.tif 000004
【図４】
0003663176.tif 000005
【図５】
0003663176.tif 000006
【図６】
0003663176.tif 000007
【図７】
0003663176.tif 000008
【図８】
0003663176.tif 000009
【図９】
0003663176.tif 000010
【図１０】
0003663176.tif 000011